(57)【要約】【課題】すすぎを効率的に行えるシャワーヘッドおよびシャワーヘッド用のアタッチメントを提供する。【解決手段】入口と出口を備えたシャワーヘッド本体と、シャワーヘッド本体の出口部分に取着され、多数個の散水孔が形成された散水板と、散水板における散水孔が設けられた領域を取り囲み散水方向に延在するカップ部と、弾性素材により形成され、カップ部の先端に略等間隔に配置された突起部とを備えるシャワーヘッドを提供する。カップ部における散水板側の端部から突起が設けられる側のまでの距離は４ｃｍから１０ｃｍの範囲であることが望ましく、突起は、直径が０．５ｃｍから１ｃｍ、高さが０．５ｃｍから２ｃｍの、先端が半球状の円柱であることが望ましく、突起同士の間隔は、突起の直径よりも狭いことが望ましい。 【選択図】図１
0003181712.tif 000002
【実用新案登録請求の範囲】
【請求項１】
入口と出口を備えたシャワーヘッド本体と、
前記シャワーヘッド本体の出口部分に取着され、多数個の散水孔が形成された散水板と、
前記散水板における散水孔が設けられた領域を取り囲み散水方向に延在するカップ部と、
前記カップ部の先端に略等間隔に配置された複数の突起と
を備える、シャワーヘッド。
【請求項２】
前記カップ部における前記散水板側の端部から前記突起が設けられる側の端部までの距離は４ｃｍから１０ｃｍの範囲であり、
前記突起は、直径が０．５ｃｍから１ｃｍ、高さが０．５ｃｍから２ｃｍの、先端が半球状の円柱であり、
前記突起の複数の前記突起同士の間隔は、前記突起の直径よりも狭い
ことを特徴とするシャワーヘッド。
【請求項３】
シャワーヘッド本体に取り付けられるシャワーヘッド用アタッチメントであって、
前記シャワーヘッドの散水板における散水孔が設けられた領域を取り囲む開口を有するカップ部と、
前記カップ部の先端に略等間隔に配置された複数の突起と、
前記カップ部が前記シャワーヘッドの散水方向に延在すべく前記シャワーヘッドに固定する取付構造と
を備える、シャワーヘッド用アタッチメント。
【請求項４】
前記カップ部における前記散水板に接する端部から前記突起が設けられる側の端部までの距離は４ｃｍから１０ｃｍの範囲であり、
前記突起は、直径が０．５ｃｍから１ｃｍ、高さが０．５ｃｍから２ｃｍの、先端が半球状の円柱であり、
前記突起の複数の前記突起同士の間隔は、前記突起の直径よりも狭い
ことを特徴とするシャワーヘッド用アタッチメント。
【考案の詳細な説明】
【技術分野】
【０００１】
本考案は、シャワーヘッド及びシャワーヘッド用アタッチメントに関する。
【背景技術】
【０００２】
シャンプーで洗髪した後の不十分であると、せっかくシャンプーによって浮いた汚れが落ち切れずに残留してしまう。このため、洗髪時にすすぎを十分に行うことが重要である。顔や体を石鹸で洗う場合も同様にすすぎが重要である。
【０００３】
一般に、シャワーヘッドは、シャワーホースに接続されるシャワーヘッド本体の先端に散水板を取り付け、この散水板に多数の小さな散水孔を開口して構成されている。シャワーホースを通じて供給される水又はお湯は、シャワーヘッド本体内を通り、散水板に形成した多数個の散水孔を通じてシャワー水として放出される。
【０００４】
このような一般的なシャワーヘッドでは、頭頂部や前頭部のようにシャワー水が当たりやすい部分では比較的すすぎがしやすいが、側頭部、後頭部、襟足といった部分にはシャワー水が当たりにくく、すすぎは容易とは言えない。また、これらのすすぎにくい部位にシャワー水を当てようとすると、シャワー水が周囲に飛び散ってしまう場合がある。
【０００５】
すすぎを改善する策として、洗髪用ブラシの先端部分に穴をあけ、噴水口を設けたものを、シャワーヘッド取り付けて、シャワーから噴射される水が頭皮まで行き届くようにしたシャワーブラシが提案されている（例えば特許文献１）
【先行技術文献】
【特許文献】
【０００６】
【特許文献１】実用新案登録第３０８４４９７号公報
【考案の概要】
【考案が解決しようとする課題】
【０００７】
しかしながら、頭皮に直接水を当てたとしても、噴射された水はすぐに頭の表面を伝って流れおちてしまい、必ずしも十分なすすぎを効率的にできているとは言えない。
【課題を解決するための手段】
【０００８】
そこで、本考案は上記の課題を解決することのできるシャワーヘッド及びシャワーヘッド用アタッチメントを提供することを目的とする。この目的は実用新案登録請求の範囲における独立項に記載の特徴の組み合わせにより達成される。また従属項は本考案の更なる有利な具体例を規定する。
【０００９】
上記目的を達成するために、本考案の第１の形態に係るシャワーヘッドは、入口と出口を備えたシャワーヘッド本体と、シャワーヘッド本体の出口部分に取着され、多数個の散水孔が形成された散水板と、散水板における散水孔が設けられた領域を取り囲み散水方向に延在するカップ部と、カップ部の先端に略等間隔に配置された複数の突起とを備える。
【００１０】
上記目的を達成するために、本考案の第２の形態に係るシャワーヘッド用アタッチメントは、シャワーヘッド本体に取り付けられ、シャワーヘッドの散水板における散水孔が設けられた領域を取り囲む開口を有するカップ部と、カップ部の先端に略等間隔に配置された複数の突起と、カップ部が前記シャワーヘッドの散水方向に延在すべくシャワーヘッドに固定する取付構造とを備える。
【００１１】
なお、上記の考案の概要は、本考案の必要な特徴の全てを列挙したものではなく、これらの特徴群のサブコンビネーションも又考案となりうる。
【考案の効果】
【００１２】
本考案のシャワーヘッド及びシャワーヘッド用アタッチメントは、散水板における散水孔が設けられた領域を取り囲み散水方向に延在するカップ部と、カップ部の先端に略等間隔に配置された複数の突起とを備えるので、突起を頭皮に押し付けながらすすぎを行うことで、カップ部、散水板、および頭皮で囲まれた空間にシャワーヘッドから噴出した水が溜まり、頭皮及び頭髪に水を行きわたらせるとともに、供給され続けるシャワー水による水流によってシャンプーで浮き上がった汚れを効果的に落とすことができる。
【図面の簡単な説明】
【００１３】
【図１】シャワーヘッド１の外観を示す図である。
【図２】シャワーヘッド１のカップ部６をヘッド部２とともに示す断面図である。
【図３】シャワーヘッド１の使用状態を示す図である。
【図４】従来のシャワーヘッドに取り付けられた状態のシャワーヘッド用アタッチメントを示す断面図である。
【考案を実施するための形態】
【００１４】
以下本考案について、一実施形態を図１および図２にもとづき説明する。図１はシャワーヘッド１の外観を示す。シャワーヘッド１は、互いに連通するヘッド部２と握り部３を備える。握り部３の根元には導入口４が形成され、導入口４は図示ないシャワーホースに連結される。ヘッド部２の先端はシャワーヘッド１の出口となり、多数の散水孔が設けられた散水板５が取り付けられる。導入口４から流入した水は、握り部３及びヘッド部２を通って散水板５によりシャワー水として噴出する。シャワーヘッド１のヘッド部２にはシャワー水が噴出される方向にカップ部６が設けられる。そして、カップ部６の先端部に、複数の突起７が略等間隔に配置される。
【００１５】
図２は、カップ部６をヘッド部２とともに示す断面図である。図中の一点鎖線は散水板５から水が噴出される方向を示す。カップ部６は、散水板５における散水孔が設けられた領域５１を取り囲んだ壁として形成される。カップ部６は、散水板５から噴射される水が噴射方向への進行とともに放射状に広がったとき、水が直接当たらないよう、散水板５に接する位置から突起が設けられた先端部に向かって口径が拡大するように設けられることが望ましい。使用時にカップ部６の内部に水の対流が生じるよう、カップ部６における散水板５に接する端部から突起７が設けられる側の端部までの距離は４ｃｍから１０ｃｍの範囲とすることが望ましい。
【００１６】
突起７は、円柱の先端が半球となった形状に形成される。突起７の直径は、０．５ｃｍから１ｃｍ、高さは０．５ｃｍから２ｃｍの範囲とすることが望ましい。突起７は、弾性体で形成されることが望ましい。このような形状及び材質により、皮膚に突起７を押し付けた時に皮膚に損傷を与えることを防ぐことができる。また、適切な材質及び形状により、皮膚へのマッサージ効果を得ることができる。隣接する突起７の間隔は、突起７の直径よりも狭いことが望ましい。突起７の間隔を狭めることで、使用時にカップ部６に十分に水が溜まり、すすぎの効果が高まる。
【００１７】
図３は、本実施形態のシャワーヘッド１の使用状態を示す図である。シャワーヘッド１の導入口４を、水道の給水栓につないだシャワーホースに連結して給水栓を開けると、水道水（又はお湯）がシャワーヘッド１に供給される。シャワーホース１に導入された水道水は、握り部２内の導水路を通り、ヘッド部２に流入し、散水板５を通ってシャワー水となって噴射される。
【００１８】
シャンプーで洗髪した後、シャワーヘッド１を用いて頭髪をすすぐときに、ユーザは、必要に応じてシャワーヘッド１を頭皮から離した状態で散水し、シャンプーの泡を洗い流す。そして、シャワー水を噴出させながらシャワーヘッド１の複数の突起７を頭皮に押し当てる。
【００１９】
散水板５から噴出した水は、一部が突起７の隙間を通って漏れ出しつつ、カップ部６の中に溜まる。カップ部６には散水板５から絶えず水が供給されるので、溜まった水に対流がおこり、頭皮や頭髪に水流が当たる。これにより、頭皮や頭髪に付着したシャンプーの成分、汚れ等を効果的に洗い落とすことができる。また、すべての突起７が頭皮に当たるようにシャワーヘッド１の向きを定めることで、噴出されるシャワー水が頭皮にほぼ垂直に当たるので、頭皮に付着したシャンプーの成分、汚れ等に、噴出する水を直接作用させ、すすぎの効率を高めることができる。また、カップ部６により、噴出した水が周囲に飛び散ることを防ぐことができる。
【００２０】
図４は、本考案の第２の実施形態に係る、従来のシャワーヘッド２００に取り付けられた状態のシャワーヘッド用のアタッチメント１００を示す断面図である。アタッチメント１００は、カップ部１０６、複数の突起１０７、および取付構造１０８を備える。カップ部１０６は、シャワーヘッド２００に取り付けられることにより、当該シャワーヘッド２００が備える散水板における散水孔が設けられた領域を取り囲んだ壁となる。カップ部１０６は、散水板から噴射される水が噴射方向への進行とともに放射状に広がったとき、水が直接当たらないよう、散水板に接する位置から突起１０７が設けられた先端部に向かって口径が大きくなることが望ましい。使用時にカップ部６の内部に水の対流が生じるよう、カップ部６における散水板５に接する端部から突起７が設けられる側の端部までの距離は４ｃｍから１０ｃｍの範囲とすることが望ましい。
【００２１】
カップ部１０６の先端部に、複数の突起１０７が略等間隔に配置される。突起１０７は、円柱の先端が半球となった形状に形成される。突起１０７の直径は、０．５ｃｍから１ｃｍ、高さは０．５ｃｍから２ｃｍの範囲とすることが望ましい。突起１０７は、弾性体で形成されることが望ましい。このような形状及び材質により、皮膚に突起１０７を押し付けた時に皮膚に損傷を与えることを防ぐことができる。また、適切な材質及び形状により、皮膚へのマッサージ効果を得ることができる。隣接する突起１０７の間隔は、突起１０７の直径よりも狭いことが望ましい。突起１０７の間隔を狭めることで、使用時にカップ部１０６に十分に水が溜まり、すすぎの効果が高まる。
【００２２】
アタッチメント１００は、取付構造１０８により、カップ部１０６がシャワーヘッド２００の散水方向に延在すべくシャワーヘッド２００に固定される。本例では、取付構造１０８は、カップ部１０６の底部外側に、カップ部１０６を挟んで対向するように設けられた一対のフックと当該フックに係合する弾性リングである。図４に示すように、シャワーヘッド２００のヘッド部の外側を弾性リングが一対のフックに系着されることにより、アタッチメント１００はシャワーヘッド２００に固定される。なお、取付構造１０８は、上記の構造に限られない。例えば、取付構造１００は、シャワーヘッド２００が嵌合する凹部として構成されてもよいし、シャワーヘッド２００の散水板の周縁部に吸着する吸盤、あるいは粘着する粘着部材であってもよい。
【００２３】
アタッチメント１００を従来のシャワーヘッド２００に取り付けることにより、従来のシャワーヘッドでも図１から３を参照して説明した第１の実施形態に係るシャワーヘッド１と同様の効果を得ることができる。
【産業上の利用可能性】
【００２４】
シャワーヘッドにカップ部を設けることにより、カップ部内に水流を発生させ、すすぎを効率的に行うことができる。
【符号の説明】
【００２５】
１    シャワーヘッド
２    ヘッド部
３    握り部
４    導入口
５    散水板
６    カップ部
７    突起
１００    アタッチメント
１０６    カップ部
１０７    突起
１０８    取付構造
２００    シャワーヘッド
【図１】
0003181712.tif 000003
【図２】
0003181712.tif 000004
【図３】
0003181712.tif 000005
【図４】
0003181712.tif 000006
【手続補正書】
【提出日】平成24年12月12日(2012.12.12)
【手続補正１】
【補正対象書類名】実用新案登録請求の範囲
【補正対象項目名】全文
【補正方法】変更
【補正の内容】
【実用新案登録請求の範囲】
【請求項１】
入口と出口を備えたシャワーヘッド本体と、
前記シャワーヘッド本体の出口部分に取着され、多数個の散水孔が形成された散水板と、
前記散水板における散水孔が設けられた領域を取り囲み散水方向に延在するカップ部と、
前記カップ部の先端に略等間隔に配置された複数の突起と
を備える、シャワーヘッド。
【請求項２】
前記カップ部における前記散水板側の端部から前記突起が設けられる側の端部までの距離は４ｃｍから１０ｃｍの範囲であり、
前記突起は、直径が０．５ｃｍから１ｃｍ、高さが０．５ｃｍから２ｃｍの、先端が半球状の円柱であり、
前記突起の複数の前記突起同士の間隔は、前記突起の直径よりも狭い
ことを特徴とする請求項１記載のシャワーヘッド。
【請求項３】
シャワーヘッド本体に取り付けられることにより請求項１記載のシャワーヘッドを構成するシャワーヘッド用アタッチメントであって、
前記シャワーヘッド本体の散水板における散水孔が設けられた領域を取り囲む開口を有するカップ部と、
前記カップ部の先端に略等間隔に配置された複数の突起と、
前記カップ部が前記シャワーヘッド本体の散水方向に延在すべく前記シャワーヘッド本体に固定する取付構造と
を備える、シャワーヘッド用アタッチメント。
【請求項４】
前記カップ部における前記散水板に接する端部から前記突起が設けられる側の端部までの距離は４ｃｍから１０ｃｍの範囲であり、
前記突起は、直径が０．５ｃｍから１ｃｍ、高さが０．５ｃｍから２ｃｍの、先端が半球状の円柱であり、
前記突起の複数の前記突起同士の間隔は、前記突起の直径よりも狭い
ことを特徴とする請求項３記載のシャワーヘッド用アタッチメント。